(57)【要約】【課題】画像を表示する場合には、画像を補正したことを容易に確認することができ、多画像を表示する場合には、画像が見やすく、閲覧性を損なわない画像記録装置およびその制御方法を提供することを目的とする。【解決手段】デジタルカメラで撮影したデジタル画像データが格納されている記録媒体から、上記デジタル画像データを読み出し、上記デジタル画像データを、記録媒体に直接出力する画像記録装置において、印刷する画像をユーザが指定する際に、既に加工方法が選択されている場合、１画像ずつ順次表示する１画像表示モードまたは複数の画像を同時に表示する多画像表示モードに応じて、加工処理した画像を表示する表示方法か、加工処理済みであることを示すアイコンを原画像の上に重ねて表示する表示方法かを切り替える画像記録装置である。【選択図】図１３（ｂ）
2007331321.tif 000002
【特許請求の範囲】
【請求項１】
デジタルカメラで撮影したデジタル画像データが格納されている記録媒体から、上記デジタル画像データを読み出し、上記デジタル画像データを、記録媒体に直接出力する画像記録装置において、
上記デジタル画像データについて、印刷する画像を選択するために画像を閲覧する画像表示手段であって、１画像ずつ順次表示する１画像表示モードと、複数の画像を同時に表示する多画像表示モードとによって画像表示する画像表示手段と；
上記複数の表示モードによって画像表示する場合に、画像を指定する画像指定手段と；
上記画像指定手段を介して指定された画像について、加工方法を選択する加工方法選択手段と；
任意の画像データについて加工処理を施す加工処理手段と；
上記加工処理手段が加工した画像を印刷する印刷手段と；
印刷する画像をユーザが指定する際に、既に上記加工方法選択手段を介して、加工方法が選択されていると、上記表示モードに応じて、上記加工処理手段が加工処理した画像を表示する表示方法か、加工処理済みであることを示すアイコンを、原画像の上に重ねて表示する表示方法かを切り替える表示方法切り替え判定手段と；
を有することを特徴とする画像記録装置。
【請求項２】
デジタルカメラで撮影したデジタル画像データが格納されている記録媒体から、上記デジタル画像データを読み出し、上記デジタル画像データを、記録媒体に直接出力する画像記録装置において、
上記デジタル画像データについて、印刷する画像を選択するために画像を閲覧する画像表示手段であって、１画像ずつ順次表示する１画像表示モードと、複数の画像を同時に表示する多画像表示モードとによって画像表示する画像表示手段と；
上記複数の表示モードによって画像表示する場合に、画像を指定する画像指定手段と；
上記画像指定手段を介して指定された画像について、加工方法を選択する加工方法選択手段と；
任意の画像データについて加工処理を施す加工処理手段と；
上記加工処理手段が加工した画像を印刷する印刷手段と；
印刷する画像をユーザが指定する際に、既に上記加工方法選択手段を介して、加工方法が選択されていると、上記表示モードに応じて、上記加工処理手段が加工処理した画像を表示する表示方法か、加工処理済みであることを示すアイコンを原画像の近傍に表示する表示方法かを切り替える表示方法切り替え判定手段と；
を有することを特徴とする画像記録装置。
【請求項３】
請求項１において、
上記加工処理手段は、画像に含まれている人物の赤目を補正する赤目補正手段であることを特徴とする画像記録装置。
【請求項４】
請求項１において、
上記加工処理手段は、画像に含まれる人物を抽出することによって逆光写真であることを検出し、人物の肌の色に基づいて、逆光を補正する逆光補正手段であることを特徴とする画像記録装置。
【請求項５】
請求項１または請求項２において、
上記加工処理手段は、画像に含まれている人物を抽出し、シミ、ホクロ、シワを自動的に検出し、滑らかに補正する美肌補正手段であることを特徴とする画像記録装置。
【請求項６】
請求項１または請求項２において、
上記加工処理手段は、画像に含まれている撮影情報に基づいて、画像中に日付情報を写し込む手段であることを特徴とする画像記録装置。
【請求項７】
請求項１または請求項２において、
上記加工処理手段は、
印刷する領域を矩形で切り取るトリミング加工手段と；
上記画像指定手段を介して指定された画像について、トリミング領域を指定するトリミング領域指定操作手段と；
ユーザによるトリミング領域の指定操作に応じて、印刷領域と同じアスペクト比のままで、トリミング領域の大きさを変更するトリミング領域変更手段と；
印刷領域と印刷開始時のトリミング領域との大きさに基づいて、プリント倍率を算出するプリント倍率算出手段と；
算出されたプリント倍率に基づいて、デジタル画像データ内のトリミング領域の画像を変倍してプリントするプリント制御手段と；
を有する手段であることを特徴とする画像記録装置。
【請求項８】
請求項１〜請求項７のいずれか１項において、
上記表示方法切り替え判定手段は、１画像表示モードであるか否かに応じて、表示方法の切り替えを判定する手段であることを特徴とする画像記録装置。
【請求項９】
請求項１〜請求項７のいずれか１項において、
上記表示方法切り替え判定手段は、各画像表示モードにおいて表示される画像のサイズが、特定のサイズ以上であるか否かに応じて、表示方法の切り替えを判定する手段であることを特徴とする画像記録装置。
【請求項１０】
デジタルカメラで撮影したデジタル画像データが格納されている記録媒体から、上記デジタル画像データを読み出し、上記デジタル画像データを、記録媒体に直接出力する画像記録装置の制御方法において、
上記デジタル画像データについて、印刷する画像を選択するために画像を閲覧する画像表示工程であって、１画像ずつ順次表示する１画像表示モードと、複数の画像を同時に表示する多画像表示モードとによって画像表示する画像表示工程と；
任意の画像データについて加工処理を施す加工処理工程と；
上記加工処理工程で加工された画像を印刷する印刷工程と；
印刷する画像をユーザが指定する際に、既に上記加工方法選択工程で、加工方法が選択されていると、上記表示モードに応じて、上記加工処理工程で加工処理した画像を表示する表示方法か、加工処理済みであることを示すアイコンを、原画像の上に重ねて表示する表示方法かを切り替える表示方法切り替え判定工程と；
を有することを特徴とする画像記録装置の制御方法。
【請求項１１】
デジタルカメラで撮影したデジタル画像データが格納されている記録媒体から、上記デジタル画像データを読み出し、上記デジタル画像データを、記録媒体に直接出力する画像記録装置の制御方法において、
上記デジタル画像データについて、印刷する画像を選択するために画像を閲覧する画像表示工程であって、１画像ずつ順次表示する１画像表示モードと、複数の画像を同時に表示する多画像表示モードとによって画像表示する画像表示工程と；
任意の画像データについて加工処理を施す加工処理工程と；
上記加工処理工程で加工された画像を印刷する印刷工程と；
印刷する画像をユーザが指定する際に、既に上記加工方法選択工程で、加工方法が選択されていると、上記表示モードに応じて、上記加工処理工程で加工処理された画像を表示する表示方法か、加工処理済みであることを示すアイコンを原画像の近傍に表示する表示方法かを切り替える表示方法切り替え判定工程と；
を有することを特徴とする画像記録装置の制御方法。
【発明の詳細な説明】
【技術分野】
【０００１】
本発明は、画像記録装置およびその制御方法に関する。特に、デジタルカメラで撮影したデジタル画像データが格納されている記録媒体からデジタル画像データを読み出し、デジタル画像データに対して少なくとも１つの赤目補正やトリミング処理等の加工処理を施して記録媒体に直接出力する画像記録装置に関する。
【背景技術】
【０００２】
近年、撮影結果としての画像を画像データに変換し、この画像データをメモリカードに格納するデジタルカメラが普及している。
【０００３】
デジタルカメラが普及した昨今では、低コストで上記メモリカードを装着可能であって、画像データを印刷するための操作が簡単であり、画像処理装置とプリンタとが一体化したカードダイレクト印刷装置が考案されている。
【０００４】
この従来のカードダイレクト印刷装置は、上記のように、メモリカードを直接装着可能なカードスロットを具備している。また、操作パネルを操作することによって、その表示内容を変え、メニューを表示し、画像データを表示する表示装置を有する。上記従来のカードダイレクト印刷装置は、メモリカード内の画像データから、所望の画像を選択し、印刷指示するために用いられている。
【０００５】
近年、メモリカード内の画像データについて、撮影時に赤く記録された人物の瞳孔を黒く補正する赤目補正や、任意の矩形で画像を切り取り、印刷するトリミング等、各種の加工処理を施す印刷装置が知られている（たとえば、特許文献１参照）。
【０００６】
この印刷装置は、赤目補正に関して、画像が赤い瞳孔を含むかどうかを、ユーザが介入せずに検出し、赤い瞳孔の内部の各赤色ピクセルを、特定の色に変更する赤目軽減システムである。
【０００７】
トリミングに関して、トリミング矩形を指定した後に印刷する用紙を変更した場合、自動的にトリミング領域のアスペクト比を補正する装置が知られている（たとえば、特許文献２参照）。
【０００８】
これらの従来装置では、通常、ユーザは、表示装置上で画像を閲覧しながら、必要に応じてトリミング領域を指定し、所望の画像について、赤目補正を指定し、さらに、画像の印刷枚数を指定し、印刷を実行する。その後に、これらの画像を閲覧する時には、ある画像に対して、既に赤目補正の指定がなされていれば、画像を表示する際に、赤目の補正を施した画像を表示する。
【０００９】
また、トリミング指定に関して、ユーザが指定したトリミング矩形を表示画像の上にオーバーラップして表示し、「トリミング済みであること」と、「トリミングした矩形のサイズや位置」とを同時に示す。
【００１０】
一方で、複数画像を同時に表示する「多画像表示」を行うことが考案され、ユーザの目的によって、１画像表示と多画像表示とを切り替えることが可能である。
【特許文献１】特開２００４−２４７９０６号公報
【特許文献２】特開２００５−３２４５１２号公報
【発明の開示】
【発明が解決しようとする課題】
【００１１】
このような液晶のサイズアップによって１画像表示では、上記赤目補正において、補正結果確認の視認性が向上し、トリミング指定においては、トリミング領域の表示精度が向上する。
【００１２】
しかし、上記従来例では、多画像表示を行った際に、同様の表示を行うと、１画像当りのサイズが相対的に小さくなるので、赤目補正では画像を確認することが困難であるという問題がある。
【００１３】
また、上記従来例では、トリミング指定に際して、トリミング矩形を画像上にオーバーラップして表示すると、画像の詳細を確認し難くなり、かつ、トリミング矩形のサイズや配置位置の誤差が大きくなるという問題がある。
【００１４】
本発明は、１画像を表示する場合には、画像を補正したことを容易に確認することができ、多画像を表示する場合には、画像が見やすく、閲覧性を損なわない画像記録装置およびその制御方法を提供することを目的とするものである。
【課題を解決するための手段】
【００１５】
本発明は、デジタルカメラで撮影したデジタル画像データが格納されている記録媒体から、上記デジタル画像データを読み出し、上記デジタル画像データを、記録媒体に直接出力する画像記録装置において、上記デジタル画像データについて、印刷する画像を選択するために画像を閲覧する画像表示手段であって、１画像ずつ順次表示する１画像表示モードと、複数の画像を同時に表示する多画像表示モードとによって画像表示する画像表示手段と、上記複数の表示モードによって画像表示する場合に、所望の画像を指定する画像指定手段と、上記画像指定手段を介して指定された画像について、加工方法を選択する加工方法選択手段と、任意の画像データについて加工処理を施す加工処理手段と、上記加工処理手段が加工した画像を印刷する印刷手段と、印刷する画像をユーザが指定する際に、既に上記加工方法選択手段を介して、加工方法が選択されていると、上記表示モードに応じて、上記加工処理手段が加工処理した画像を表示する表示方法か、加工処理済みであることを示すアイコンを、原画像の上に重ねて表示する表示方法かを切り替える表示方法切り替え判定手段とを有することを特徴とする画像記録装置である。
【発明の効果】
【００１６】
本発明によれば、各画像を補正する設定の有無を、表示する画像の表示方法によって切り替えるので、１画像を表示する場合には、画像を補正したことを容易に確認することができるという効果を奏する。また、多画像を表示する場合には、各画像の上にアイコンで表示するので、画像が見やすく、閲覧性を損なわないという効果を奏する。
【発明を実施するための最良の形態】
【００１７】
発明を実施するための最良の形態は、次の実施例である。
【実施例１】
【００１８】
図１は、本発明の実施例１である画像記録装置ＰＲ１を示す概略斜視図である。
【００１９】
画像記録装置ＰＲ１は、インクジェットプリンタである。なお、インクジェットプリンタの代わりに、熱転写プリンタ（溶解型、昇華型）、ドットプリンタ、レーザプリンタ、ＬＥＤプリンタ等、あらゆるプリンタに、実施例１を適用するようにしてもよい。
【００２０】
画像記録装置ＰＲ１は、メモリカード接続部３と、操作パネル４と、表示装置５とを有する。
【００２１】
メモリカード接続部３は、記録媒体の例であるメモリカード２に格納されている画像データを読み出すための接続部である。メモリカード接続部３に、メモリカード２を差し込むことによって、メモリカード２が、画像記録装置ＰＲ１に接続され、画像記録装置ＰＲ１は、メモリカード２から画像データを読み出すことができる。
【００２２】
操作パネル４は、ユーザの操作を受け付け、ユーザは操作パネル４に設けられているキーを押下することによって、印刷しようとする画像データを選択し、画像補正を指定し、トリミング領域のサイズ、位置の変更等画像に対する加工処理を指定する。
【００２３】
表示装置５は、液晶パネルがその例である。この表示装置５は、ユーザが操作パネル４を操作する状況によって、表示される内容が順次変化する。時には、メモリカード２内に記録されている画像データを読み出した後に、その画像を一意に示す画像番号と、その画像データを印刷する枚数とを表示する。また、別の状態では、表示装置５は、メニュー表示から各種印刷のタイプを選択し、機器の設定を変更するための項目を表示する。
【００２４】
図２は、操作パネル４と表示装置５との具体例を示す図である。
【００２５】
実施例１では、メモリカード接続部３に、メモリカード２を挿入した状態で、図２に示すように表示される。
【００２６】
操作パネル４には、ファンクションキー４１と、上／下／左／右／ＯＫキー４２とが設けられている。ファンクションキー４１は、ファンクションキーＦ１とＦ２とを有する。
【００２７】
液晶パネル等によって構成されている表示装置５には、現在選択されている項目を表すカーソルＣ１が表示される。
【００２８】
図２に示す状態では、Ｆ１／Ｆ２／左／右キー４２は無効なキーであり、カーソルＣ１を上下に動かして項目を選択し、ＯＫキー４２を押下することによって、次のステップへ遷移する。
【００２９】
図３は、印刷する画像を選択している状態を、表示装置５に表示している図である。
【００３０】
図２に示す状態で、選択項目「画像を選んで印刷」を選択すると、図３に示す状態になり、それぞれの印刷枚数を指定することができる。左右キーを押下する度に、画像表示領域５３に表示されている画像が、次の画像へ変更され、所望の画像を選択する。上下キー４２を押下すると、印刷枚数表示領域５４に表示されている印刷枚数が変更され、所望の印刷枚数を設定する。
【００３１】
印刷する画像の選択と、各画像の印刷枚数の設定とが終了し、ＯＫキー４２を押下すると、次のステップへ遷移する。
【００３２】
表示装置５は、ファンクションキー４１の概要とガイド５１、５２とを表示し、ガイド５１、５２が表示されている場合に限り、ファンクションキー４１の操作が有効である。
【００３３】
図４（ａ）は、図３に示す状態で、ファンクションキーＦ１を押下した状態を示す図である。
【００３４】
図４（ｂ）は、図４（ａ）に示す状態で、下キーを押下し、「９画面表示」項目へ、カーソルＣ１のフォーカスを移した状態を示す図である。
【００３５】
たとえば、図３に示す状態では、ファンクションキーＦ１を押下すると、図４に示すような「ファンクションメニュー」を表示し、表示方法を変更することができる。
【００３６】
この「ファンクションメニュー」については後述する。
【００３７】
また、ファンクションキーＦ２を押すと、ファンクションメニューを表示し、補正方法を選択することができる。
【００３８】
この状態では、図４に示すように、ファンクションメニュー５５を表示し、上下キー４２を押下することによって、カーソルＣ１を操作し、ＯＫキー４２を押下した時点で選択されている項目の表示方法を選択する。図４に示す状態では、直前の表示方法である「標準画面表示」にカーソルＣ１がフォーカスしている状態を表している。
【００３９】
図５は、図４（ｂ）に示す状態で、ＯＫキー４２を押下した直後の状態を示す図である。
【００４０】
このように「９画面表示」を選択すると、表示装置５に表示する画像の数が９つになる。この状態では、上／下／左／右キー４２は画像を選択するためのキーであり、図５に示す状態では、左上の画像が太線の枠で囲まれ、操作対象であることを示している。不図示である枚数アップ／ダウンキーを押下すると、操作対象である画像の印刷枚数を操作することができ、ファンクションキーＦ１／Ｆ２によって、表示方法の変更、補正方法を選択することができる。
【００４１】
次に、ファンクションキーＦ２の操作について説明する。
【００４２】
図６（ａ）は、「赤目補正する」項目へ、カーソルＣ１のフォーカスを移す前の状態を示す図である。
【００４３】
図６（ｂ）は、図６（ａ）に示す状態で、キー押下すると、「赤目補正する」項目へ、カーソルＣ１のフォーカスが移された状態を示す図である。
【００４４】
図４に示す状態から、ファンクションキーＦ２を押下すると、図６（ａ）に示すように、補正メニュー５６を表示装置５に表示する。実施例１では、選択可能な補正方法として、トリミング／赤目補正／逆光補正／美肌補正の４種類があり、操作方法については、ファンクションメニューＦ１での説明と同様であり、上下キー４２でカーソルＣ１を操作し、ＯＫキー４２で補正方法を選択する。
【００４５】
図６（ｂ）に示す状態で、ＯＫキー４２を押下し、選択されている画像の中から、人物の顔を検出し、顔の位置を検出する。そして、目の位置を検出し、赤目であると判定された場合、特定の色のピクセルを、黒色のピクセルで置き換えることによって赤目を補正する。
【００４６】
図７は、図６（ｂ）に示す状態で、ＯＫキー４２を押下したときに、赤目補正が終了した状態を示す図である。
【００４７】
図８（ａ）は、「トリミング設定」画面を示す図である。
【００４８】
図６（ａ）に示す「トリミング設定」に、カーソルＣ１がフォーカスしている状態で、ＯＫキー４２を押下すると、図８（ａ）に示すように、「トリミング設定」画面へ遷移する。
【００４９】
図８（ａ）に示す状態では、選択されている画像の上に、トリミング領域５７を重ねて表示し、上／下／左／右キー４２で、領域の「位置」を操作する。
【００５０】
図８（ｂ）は、図８（ａ）に示す状態で、右キーを１回押下したときに、トリミング領域５７が、１単位分、右へ動いた状態を示す図である。
【００５１】
また、ファンクションキーＦ１／Ｆ２は、トリミング領域を拡大し、また、縮小するキーとして使用する。
【００５２】
図９は、画像の上に、確定したトリミング領域を重ねて表示していることを示す図である。
【００５３】
図８に示す表示状態において、所望のトリミング領域が確定したら、ＯＫキー４２を押下すると、「トリミング設定」状態から、元の画面へ状態を遷移し、図９に示すように、画像の上に、確定したトリミング領域を重ねて表示する。印刷する際には、このトリミング領域で切り取って印刷する。
【００５４】
図１０は、ファンクションメニューの「赤目補正する」の項目が、「赤目補正解除」に変わった状態を示す図である
赤目補正が既に施された画像を表示している状態で、ファンクションキーＦ２を押下すると、ファンクションメニューの「赤目補正する」の項目が、図１０に示すように、「赤目補正解除」に変わる。
【００５５】
図１１は、ファンクションメニューの「トリミング設定」の項目が、「トリミング解除」に変わった状態を示す図である。
【００５６】
トリミング領域が既に確定している画像を表示している状態で、ファンクションキーＦ２を押下すると、図１１に示すように、ファンクションメニューの「トリミング設定」の項目が、「トリミング解除」に変わる。
【００５７】
その他の補正方法についても、上記と同様である。
【００５８】
図１２は、「トリミング解除」を選択した後の表示を示す図である。
【００５９】
図１１に示す状態で、「トリミング解除」を選択すると、図１２に示す画面へ遷移する。この画面では、トリミングの解除を、現在選択している画像に対してのみ行うのか、既にトリミング設定がされている全ての画像に対して行うのかを、上下キー４２で選択し、ＯＫキー４２を押下すると、選択されている画像のトリミング設定を破棄する。
【００６０】
ここでは、トリミング領域の解除について説明したが、「赤目補正」の解除についても同様であり、全ての画像について解除するのか、現在の画像についてのみ解除するのかを選択することができる。
【００６１】
このように、ある画像について、赤目補正やトリミング等の補正を施した場合、その画像を表示する際に、赤目を補正した画像を表示し（図７）、トリミング領域を画像の上に重ねて表示する（図９）。
【００６２】
図１３（ａ）は、赤目補正とトリミング補正とが同時に指定された状態を示す図である。
【００６３】
図１３（ａ）に示す状態で、ファンクションメニューＦ１を使用して、「９画面表示」を選択した場合、各画像のサイズが小さいので、赤目を補正した画像を表示し、トリミング領域を重ねて表示しても、視認性が非常に低い／誤差が大きい等、効果的ではない。
【００６４】
図１３（ｂ）は、各補正を設定していることを示すアイコンＩＣＮ１、ＩＣＮ２を、各画像に重ねて表示していることを示す図である。
【００６５】
そこで、９画面表示を行う場合には、図１３（ｂ）に示すように、各補正を設定していることを示すアイコンＩＣＮ１、ＩＣＮ２を、各画像に重ねて表示する。アイコンＩＣＮ１は、赤目補正設定がなされていることを示すアイコンであり、アイコンＩＣＮ２は、トリミング設定がされていることを示すアイコンである。
【００６６】
このように、実施例１では、画面表示の「モード」に応じて、画像表示の方法を切り替える。画像の物理的な表示サイズは、液晶のサイズによって変わるので、表示する画像サイズの大きさを判断する手段を設け、この判断された表示画像サイズに応じて、アイコン表示を行うかどうかを切り替えるようにしてもよい。
【００６７】
図１４は、アイコンＩＣＮ１、ＩＣＮ２を、画像の近傍に表示している例を示す図である。
【００６８】
実施例１では、９画面を表示するときに、補正済みを表すアイコンＩＣＮ１、ＩＣＮ２を各画像の上に重ねて表示する。しかし、図１４に示すように、画像の近傍にアイコンＩＣＮ１、ＩＣＮ２を表示するようにしてもよく、このようにしても、上記と同様の効果を奏する。
【００６９】
印刷する領域を矩形で切り取るトリミング加工を行う場合、ユーザによるトリミング領域の指定操作に応じて、印刷領域と同じアスペクト比のままで、トリミング領域の大きさを変更する。そして、印刷領域と印刷開始時のトリミング領域との大きさに基づいて、プリント倍率を算出し、算出されたプリント倍率に基づいて、デジタル画像データ内のトリミング領域の画像を変倍してプリントするようにしてもよい。
【図面の簡単な説明】
【００７０】
【図１】本発明の実施例１である画像記録装置ＰＲ１を示す概略斜視図である。
【図２】操作パネル４と表示装置５との具体例を示す図である。
【図３】印刷する画像を選択している状態を表示装置５に表示している図である。
【図４（ａ）】図３に示す状態で、ファンクションキーＦ１を押下した状態を示す図である。
【図４（ｂ）】図４（ａ）に示す状態で、下キーを押下し、「９画面表示」項目へ、カーソルＣ１のフォーカスを移した状態を示す図である。
【図５】図４（ｂ）に示す状態で、ＯＫキー４２を押下した直後の状態を示す図である。
【図６（ａ）】「赤目補正する」項目へ、カーソルＣ１のフォーカスを移す前の状態を示す図である。
【図６（ｂ）】図６（ａ）に示す状態で、キー押下すると、「赤目補正する」項目へ、カーソルＣ１のフォーカスが移された状態を示す図である。
【図７】図６（ｂ）に示す状態で、ＯＫキー４２を押下したときに、赤目補正が終了した状態を示す図である。
【図８（ａ）】「トリミング設定」画面を示す図である。
【図８（ｂ）】図８（ａ）に示す状態で、右キーを１回押下したときに、トリミング領域５７が、１単位分、右へ動いた状態を示す図である。
【図９】画像の上に、確定したトリミング領域を重ねて表示していることを示す図である。
【図１０】ファンクションメニューの「赤目補正する」の項目が、「赤目補正解除」に変わった状態を示す図である
【図１１】ファンクションメニューの「トリミング設定」の項目が、「トリミング解除」に変わった状態を示す図である。
【図１２】「トリミング解除」を選択した後の表示を示す図である。
【図１３（ａ）】赤目補正とトリミング補正とが同時に指定された状態を示す図である。
【図１３（ｂ）】各補正を設定していることを示すアイコンＩＣＮ１、ＩＣＮ２を、各画像に重ねて表示していることを示す図である。
【図１４】アイコンＩＣＮ１、ＩＣＮ２を、画像の近傍に表示している例を示す図である。
【符号の説明】
【００７１】
ＰＲ１…画像記録装置、
２…メモリカード、
３…メモリカード接続部、
４…操作パネル、
４１、Ｆ１、Ｆ２…ファンクションキー、
４２…上／下／左／右／ＯＫキー、
５…表示装置、
Ｃ１…カーソル、
５１、５２…ガイド、
５３…画像表示領域、
５４…印刷枚数表示領域、
５５…ファンクションメニュー、
５６…補正メニュー、
５７…トリミング領域、
ＩＣＮ１、ＩＣＮ２…アイコン。
【図１】
2007331321.tif 000003
【図２】
2007331321.tif 000004
【図３】
2007331321.tif 000005
【図４（ａ）】
2007331321.tif 000006
【図４（ｂ）】
2007331321.tif 000007
【図５】
2007331321.tif 000008
【図６（ａ）】
2007331321.tif 000009
【図６（ｂ）】
2007331321.tif 000010
【図７】
2007331321.tif 000011
【図８（ａ）】
2007331321.tif 000012
【図８（ｂ）】
2007331321.tif 000013
【図９】
2007331321.tif 000014
【図１０】
2007331321.tif 000015
【図１１】
2007331321.tif 000016
【図１２】
2007331321.tif 000017
【図１３（ａ）】
2007331321.tif 000018
【図１３（ｂ）】
2007331321.tif 000019
【図１４】
2007331321.tif 000020